(57)【要約】【課題】パネル開閉式の空気調和機において、エアフィルターと室内機本体との隙間を抑える機構を、エアフィルターの挿入性を損なわずに、また、コストｕｐを抑えながら実現すること。【解決手段】エアフィルター上面９に撓み性を、エアフィルター正面１０に剛性を備え、例えば、エアフィルター正面１０に補強リブ１３を備えることにより、エアフィルター挿入時には、スムーズに装着出来、エアフィルター装置完了時には、エアフィルターと前面枠との隙間を抑えることとなる。【選択図】図１
2006097921.tif 000002
【特許請求の範囲】
【請求項１】
ケーシング本体の前面を構成する前面枠と、前記ケーシング内に熱交換器を具備し、前記前面枠の前面と上面に沿って、枠とこの枠の間に設けられたフィルター部からなるエアフィルターを屈曲して配置した空気調和機で、前記エアフィルターの上面を撓み性をもつ構造とし、前面を剛性を持つ構造とすることを特徴とした空気調和機。
【請求項２】
上面に撓み性を持つ構造と前面に剛性を持つ構造を具備するエアフィルターで、前記撓み性を持つ構造と、前記剛性を持つ構造の境界に位置し、空気調和機が吸引する空気の流れに対して風上方向に凸の形状を備えたことを特徴とした請求項１に記載の空気調和機。
【請求項３】
上面に撓み性を持つ構造と前面に剛性を持つ構造を具備するエアフィルターで、前記撓み性を持つ構造をＳ字状に形成することを特徴とした請求項１または２に記載の空気調和機。
【発明の詳細な説明】
【技術分野】
【０００１】
本発明は、空気調和機の室内機など、前面グリルの吸入口にエアフィルターが取り付けられる空気調和機に関するものである。
【背景技術】
【０００２】
従来、この種の空気調和機では、空気調和機のケーシング本体の前面を構成する前面枠に、撓み性を持つ樹脂で平面的に成形したエアフィルターを、前面枠の前面と上面に沿って屈曲して配置している。前面枠の上面部の側面にはエアフィルターを誘い込み沿わせるレールが２本取り付けてあり、また、前面部の側面には、エアフィルターの裏面を押さえるレールが１本取り付けられている。
【０００３】
エアフィルターは平面的に成形されており、前面枠に取り付ける際には、まず、エアフィルターの上端を前面グリルの２本のレールに沿わせ挿入する。次に、エアフィルターの下端に取り付けられた爪を前面グリルの一部を切欠いた部分に挿入する。
【０００４】
その際、エアフィルターは、吸い込みグリルの２本のレールに挟まれ固定され、下面はエアフィルター下端に取り付けられた爪が吸い込みグリルの一部を切欠いた部分に挿入されるため、撓み性を有しているので屈曲した形状になる。
【０００５】
ここで、吸い込みグリルの前面にエアフィルターの裏面を押さえるレールが１本であるのは、エアフィルターが汚れてきたときに清掃するメンテナンスを行う為に取り外しできるようにする為だが、撓み性でこのエアフィルターが構成されている為、前面に膨らみエアフィルターと吸い込みグリルとの間に隙間が出来てしまう。
【０００６】
エアフィルターと吸い込みグリルとの間に隙間ができると、エアフィルターを通過せず熱交換器に直接ホコリが付着するという不具合が発生する。そこで、エアフィルターの上流側に水平方向に多数の穴を備えた吸い込みグリルを取り付けエアフィルターを押さえつけ、膨らみを抑えていた。図４は従来の空気調和機の断面形状を示す図である。
【０００７】
エアフィルターの膨らみを押さえる方法としては、エアフィルター下部に設けられた、エアフィルター脱着の際ユーザーが持つエアフィルターの取手を水平方向に延長しているものがある（例えば、特許文献１参照）。
【特許文献１】特開平１０−１７００６４号公報
【発明の開示】
【発明が解決しようとする課題】
【０００８】
しかしながら、前記従来の構成では、近年主流となっている、パネル式の吸入グリルでは不具合が生じる。パネル式の吸入グリルとは、デザイン性を向上するため、吸入グリルの水平方向に配置される長穴を一切なくしたものである。
【０００９】
パネル式の吸入グリルを持つ室内機は、室内空気の吸入量を確保する為に、開閉式にして、運転時にパネルを開く構成をとっているものが多い。そのため、吸入グリルが開いてしまうと、エアフィルターの前面を押さえることができなくなるので、エアフィルターを押さえるための、追加の格子状のパネルである、吸入中格子パネルが必要となりコスト高になる。図５は追加格子の吸入中格子パネルを示した図である。
【００１０】
あるいは、エアフィルター自体を初めから屈曲した形状で成形成形する方法もあるが、
エアフィルターを成形する金型の厚さ方向の増大となりやはりコスト高になるという課題を有していた。
【００１１】
本発明は、前記従来の課題を解決するもので、格子パネルの追加あるいはフィルターの屈曲形状での成形による金型厚さの増大によるコスト増大を発生させず、ユーザーが、エアフィルターを前面枠に装着しやすく、かつ前面枠との隙間を防ぎ、エアフィルターが確実に吸入する空気のホコリを捉える空気調和機を提供することを目的とする。
【課題を解決するための手段】
【００１２】
前記従来の課題を解決するために、本発明の空気調和機は、ケーシング本体の前面を構成する前面枠と、前記ケーシング内に熱交換器を具備し、前記前面枠の前面と上面に沿って、枠とこの枠の間に設けられたフィルター部からなるエアフィルターを屈曲して配置し、前記エアフィルターの上面を撓み性をもつ構造とし、前面を剛性を持つ構造とするものである。
【００１３】
これによって、エアフィルターの上面は、撓み性をもつので、前面枠の上面の側面に取り付けられた、２本のレールに沿ってスムーズに挿入出来る一方で、エアフィルターの前面に剛性を持たせることで、吸入グリルの押さえが無くても、撓み性で膨らんでしまうことが無く、前面枠に取り付けられたエアフィルターの裏面を支えるレールとの隙間を抑えることができることとなる。
【００１４】
また、本発明の空気調和機は、上面に撓み性を持つ構造と前面に剛性を持つ構造を具備するエアフィルターで、前記撓み性を持つ構造と、前記剛性を持つ構造の境界に位置し、空気調和機が吸引する空気の流れに対して風上方向に凸の形状を備えたものである。
【００１５】
これによって、エアフィルターを前面枠に備え付けられた２本のレールの間に挿入してゆくと、エアフィルターの凸形状が２本のレールの上側のレールの端に接触する。すなわち、凸形状がレールの端に接触するまでは、スムーズに挿入でき、接触したあとは、この凸部とエアフィルター下端の爪により、前面枠にしっかりと固定でき、吸入グリルの押さえが無くても、撓み性で膨らんでしまうことが無く、前面枠に取り付けられたエアフィルターの裏面を支えるレールとの隙間を抑えることができることとなる。
【００１６】
また、本発明の空気調和機は、エアフィルターの上面と前面とを屈曲するために、その間を出来るだけなだらかなＲ曲面で形成する必要があるが、前面を剛性で形成する為、このＲの一部を剛体で形成する必要が発生する。そうすると、エアフィルターを成形する金型の厚さを増大してしまう。そこで、エアフィルターの撓み性を持つ部分をＳ字状に形成したものである。
【００１７】
これによって、エアフィルターの厚さ方向の寸法を削減することができ、エアフィルターの金型厚さを削減することができることとなる。
【発明の効果】
【００１８】
本発明の空気調和機は、開閉する方式のパネル型吸入グリルにおいて、エアフィルターを押さえる追加部品を廃止できコストダウンできる。また、挿入性を確保しながら、エアフィルターが撓み性で膨らんでしまうことが無く、前面枠との隙間を押さえることが出来る。さらに、エアフィルターの金型厚さ方向の増大を抑制することが出来、金型のコストｕｐを抑制することができる。
【発明を実施するための最良の形態】
【００１９】
第１の発明は、ケーシング本体の前面を構成する前面枠と、前記ケーシング内に熱交換
器を具備し、前記前面枠の前面と上面に沿って、枠とこの枠の間に設けられたフィルター部からなるエアフィルターを屈曲して配置した空気調和機で、前記エアフィルターの上面を撓み性をもつ構造とし、前面を剛性を持つ構造とすることにより、エアフィルターの上面は、撓み性をもつので、前面枠の上面の側面に取り付けられた、２本のレールに沿ってスムーズに挿入出来る一方で、エアフィルターの前面に剛性を持たせることで、吸入グリルの押さえが無くても、撓み性で膨らんでしまうことが無く、前面枠に取り付けられたエアフィルターの裏面を支えるレールとの隙間を抑えることができることとなり、エアフィルターを押さえる追加部品を廃止できコストダウンできる。
【００２０】
第２の発明は、特に、第１の発明の空気調和機のエアフィルターに撓み性を持つ構造と、前記剛性を持つ構造の境界に位置し、空気調和機が吸引する空気の流れに対して風上方向に凸の形状を備えたことにより、エアフィルターを前面枠に備え付けられた２本のレールの間に挿入してゆくと、エアフィルターの凸形状が２本のレールの上側のレールの端に接触する。すなわち、凸形状がレールの端に接触するまでは、スムーズに挿入でき、接触したあとは、この凸部とエアフィルター下端の爪により、前面枠にしっかりと固定でき、吸入グリルの押さえが無くても、撓み性で膨らんでしまうことが無く、前面枠に取り付けられたエアフィルターの裏面を支えるレールとの隙間を抑えることができることとなり、挿入性を確保しながら、エアフィルターが撓み性で膨らんでしまうことが無く、前面枠との隙間を押さえることが出来る。
【００２１】
第３の発明は、特に、第１または第２の発明の空気調和機のエアフィルターにおいて、撓み性を持つ部分をＳ字状に形成することにより、エアフィルターの金型厚さ方向の増大を抑制することが出来、金型のコストｕｐを抑制することができる。
【００２２】
以下、本発明の実施の形態について、図面を参照しながら説明する。なお、この実施の形態によって本発明が限定されるものではない。
【００２３】
（実施の形態１）
図１（ａ）は、本発明の第１の実施の形態における空気調和機の断面図を示すものである。図１（ｂ）は、本発明の第１の実施の形態における空気調和機に使用するエアフィルターの斜視図図を示すものである。
【００２４】
図１（ａ）において、室内機のケーシング１は、前面枠２と台枠３に分割された構成になっている。前面枠２の前面枠上面４−１には、レール上５とレール下６を備え、レール上５とレール下６との間隔は背面から正面にかけて、段々と広がる様に配置されている。前面枠正面４−２には、レール正面７を備えている。レール上５とレール下６は、エアフィルター８のエアフィルター上面９を挟むことにより保持し、レール正面７は、エアフィルター正面１０の裏面のみを支える構成になっている。
【００２５】
前面枠に設けられた切欠き１１は、エアフィルター８が具備する爪１２が挿入される構造になっている。補強リブ１３は、エアフィルター正面１０に剛性を持たす事に貢献している。一方エアフィルター上面９には、補強リブをつけない構成をとり、撓み性を持たせている。この様子は、エアフィルターの斜視図である図１（ｂ）を観ると分かりやすい。吸い込みグリル１４は、アーム１５に保持されており、開閉可能になっている。
【００２６】
以上のように構成された空気調和機について、以下その動作、作用を説明する。
【００２７】
まず、レール上５とレール６との間隔は、正面側は広く背面側は狭くなっていて、エアフィルター８を挿入し始めはエアフィルター８をレール上５とレール下６の間隔が広い為エアフィルター８の先端を入れやすい。エアフィルター８を挿入するに従ってレール上５
とレール下６の間隔は次第に狭くなって挿入の抵抗が増えてくるが、エアフィルター上面９が撓み性を備えている為、スムーズに挿入することができる。
【００２８】
エアフィルター８の爪１１を切欠き１２に挿入することで、エアフィルター８の装着は完了する。
【００２９】
ここで、エアフィルター８のエアフィルター正面１０に、補強リブ１３が備えられていることにより、エアフィルター正面１０が撓んで正面側に膨らむことを防ぐこととなる。
【００３０】
そして、空気調和機の運転が開始され、吸い込みグリルが開いて、エアフィルターを押さえることが出来なくても、エアフィルターの膨らみが発生せず、前面枠に取り付けられたエアフィルターの裏面を支えるレールとの隙間を抑えることができることとなり、エアフィルターを押さえる追加部品を廃止できコストダウンすることができる。
【００３１】
また、本実施の形態では、補強リブ１３の替わりに中空成形をおこなうことによっても、剛性ｕｐが可能となり、エアフィルター正面の膨らみを押さえることができる。
【００３２】
以上のように、本実施の形態においては、エアフィルターの上面を撓み性をもつ構造とし、前面を剛性を持つ構造とすることにより、吸入グリルの押さえが無くても、撓み性で膨らんでしまうことが無く、前面枠に取り付けられたエアフィルターの裏面を支えるレールとの隙間を抑えることができることとなり、エアフィルターを押さえる追加部品を廃止できコストダウンできる。
【００３３】
（実施の形態２）
図２（ａ）は、本発明の第２の実施の形態の空気調和機の断面図を示す図である。図２（ｂ）は、本発明の第２の実施の形態における空気調和機に使用するエアフィルターの斜視図図を示すものである。
【００３４】
図２（ａ）において、エアフィルター８のエアフィルター上面９とエアフィルター正面１０の境界上に凸部１６を設けるものである。この様子は、エアフィルターの斜視図である図２（ｂ）を観ると分かりやすい。
【００３５】
以上のように構成された空気調和機について、以下その動作、作用を説明する。
【００３６】
まず、レール上５とレール下６にエアフィルター８を挿入し奥まで押し込むと、エアフィルター８に備えられた凸部１６がレール上５に接触する。
【００３７】
すなわち、凸部１６がレールの端に接触するまではスムーズに挿入でき、凸部１６がレール上５に接触後、エアフィルター８に設けられた爪１２を切欠き１１に挿入することで、エアフィルター８の装着が完了する。そうすることにより、レール上５とレール下６との間隔が前面側で広い為、エアフィルター８の正面がエアフィルター上面４の持つ撓み性で正面側に押される為にエアフィルター正面１０がレール正面７との間に隙間が発生することを防ぐこととなる。
【００３８】
以上のように、本実施の形態においては、エアフィルターに撓み性を持つ構造と、前記剛性を持つ構造の境界に凸部を備えたことにより、吸入グリルの押さえが無くても、撓み性で膨らんでしまうことが無く、前面枠に取り付けられたエアフィルターの裏面を支えるレールとの隙間を抑えることができることとなり、挿入性を確保しながら、エアフィルターが撓み性で膨らんでしまうことが無く、前面枠との隙間を押さえることが出来る。
【００３９】
（実施の形態３）
図３は、本発明の第３の実施の形態の空気調和機のエアフィルターの斜視図を示す図である。
【００４０】
図３において、撓み性を持つエアフィルター上面の一部に湾曲形状１８を設け、エアフィルター８をＳ字状に形成するものである。
【００４１】
以上のように構成された空気調和機について、以下その動作、作用を説明する。
【００４２】
まず、エアフィルター８は、剛性を持つエアフィルター正面１０と撓み性を持つエアフィルター上面９との間をなだらかなＲ曲面１７で形成する必要がある。その様子は図１（ａ）に示されている。しかし、エアフィルター正面を剛性で形成する為、また、その剛性部の一端をレール上５に確実に接触させる為、このＲ曲面１７の一部を剛体で形成する必要が発生する。そうすると、エアフィルター８は図１（ｂ）の様に、くの字型に成形せざるを得ず、エアフィルターを成形する金型の厚さを増大してしまう。
【００４３】
そこで、撓み性を持つエアフィルター上面の一部に湾曲形状１８を設け、エアフィルター８をＳ字状に形成することで、図３に示すエアフィルターが金型内における厚さ方向の寸法Ａを押さえることが可能となる。
【００４４】
以上のように、本実施の形態においては、撓み性を持つエアフィルター上面の一部に湾曲形状を設けることにより、エアフィルターが金型内における厚さ方向の寸法Ａを押さえることが可能となり、エアフィルターの成形金型のコストｕｐを抑制することができる。
【産業上の利用可能性】
【００４５】
以上のように、本発明にかかる空気調和機は、挿入性を確保しながら、エアフィルターの装着に関わる余分な部品を廃止でき、成形金型のコストｕｐを抑制することが可能となるので、集塵装置等の用途にも適用できる。
【図面の簡単な説明】
【００４６】
【図１】（ａ）は本発明の実施の形態１における空気調和機の断面図（ｂ）は本発明の実施の形態１における空気調和機に使用するエアフィルターの斜視図
【図２】（ａ）は本発明の実施の形態２における空気調和機の断面図（ｂ）は本発明の実施の形態２における空気調和機に使用するエアフィルターの斜視図
【図３】本発明の実施の形態３における空気調和機に使用するエアフィルターの斜視図
【図４】従来の空気調和機の断面形状を示す断面図
【図５】従来の空気調和機の追加格子の吸入中格子パネルの構成を示す断面図
【符号の説明】
【００４７】
１    ケーシング
２    前面枠
３    台枠
４−１    前面枠上面
４−２    前面枠正面
５    レール上
６    レール下
７    レール正面
８    エアフィルター
９    エアフィルター上面
１０  エアフィルター正面
１１  切欠き
１２  爪
１３  補強リブ
１４  吸い込みグリル
１５  アーム
１６  凸部
１７  なだらかなＲ曲面
１８  湾曲形状
１９  吸入中格子パネル
【図１】
2006097921.tif 000003
【図２】
2006097921.tif 000004
【図３】
2006097921.tif 000005
【図４】
2006097921.tif 000006
【図５】
2006097921.tif 000007